(57)【要約】  タンパク質結晶の成長過程を、非破壊でリアルタイムに３次元観測して、結晶の成長を高精度に制御することにより、良質な単結晶の作製を可能とするタンパク質結晶の観測技術を提供する。  超広帯域光源から発する光を用いたＯＣＴ計測により、ゲルを用いた結晶化法により作製されるタンパク質結晶の観測を行うタンパク質結晶の観測方法。超広帯域光源が、超広帯域スーパーコンティニューム光源であるタンパク質結晶の観測方法。超広帯域スーパーコンティニューム光源から発する光の中心波長が、０．８μｍ帯であるタンパク質結晶の観測方法。タンパク質結晶の観測が、その場計測による観測であるタンパク質結晶の観測方法。
2012039377.tif 000002
【特許請求の範囲】
【請求項１】
超広帯域光源から発する光を用いたＯＣＴ計測により、ゲルを用いた結晶化法により作製されるタンパク質結晶の観測を行うことを特徴とするタンパク質結晶の観測方法。
【請求項２】
前記超広帯域光源が、超広帯域スーパーコンティニューム光源であることを特徴とする請求項１に記載のタンパク質結晶の観測方法。
【請求項３】
前記超広帯域スーパーコンティニューム光源から発する光の中心波長が、０．８μｍ帯であることを特徴とする請求項２に記載のタンパク質結晶の観測方法。
【請求項４】
前記タンパク質結晶の観測が、その場計測による観測であることを特徴とする請求項１ないし請求項３のいずれか１項に記載のタンパク質結晶の観測方法。
【請求項５】
請求項１ないし請求項４のいずれか１項に記載のタンパク質結晶の観測方法を用いて、タンパク質結晶の評価を行うことを特徴とするタンパク質結晶の評価方法。
【請求項６】
請求項１ないし請求項４のいずれか１項に記載のタンパク質結晶の観測方法を用いて、タンパク質結晶と塩との分別を行うことを特徴とするタンパク質結晶と塩との分別方法。
【請求項７】
タンパク質と塩とを含有する被測定材料をゲル化してゲル液を作製するゲル液作製工程と、
前記ゲル液から前記タンパク質を結晶化させるタンパク質結晶化工程と、
前記タンパク質結晶化工程後の前記ゲル液を、超広帯域光源から発する光を用いてＯＣＴ計測するＯＣＴ計測工程と、
前記ＯＣＴ計測における光信号による情報を抽出することにより、前記タンパク質結晶と前記塩とを分別する分別工程と
を備えていることを特徴とするタンパク質結晶と塩との分別方法。
【請求項８】
前記超広帯域光源が、超広帯域スーパーコンティニューム光源であることを特徴とする請求項７に記載のタンパク質結晶と塩との分別方法。
【請求項９】
前記超広帯域スーパーコンティニューム光源から発する光の中心波長が、０．８μｍ帯であることを特徴とする請求項８に記載のタンパク質結晶と塩との分別方法。
【発明の詳細な説明】
【技術分野】
【０００１】
本発明は、タンパク質の良質な単結晶を作製するためのタンパク質結晶の観測方法に関する。
【背景技術】
【０００２】
ヒトゲノムの解読が終了した今日、プロテオーム研究により創薬ターゲットとなる疾患関連タンパク質の立体構造が次々と同定されている。これら疾患関連タンパク質の立体構造を解析することにより、タンパク質の働きを制御する化合物を設計することが可能となるため、創薬プロセスを大幅に短縮することができる。【０００３】
このため、Ｘ線結晶解析を用いたタンパク質の立体構造の解析を迅速かつ精度高く行う競争が激化している。【０００４】
それに伴い、自動Ｘ線回折測定装置などが開発され、さらにシンクロトロン放射光の利用や大型計算機の発達などもあり、解析装置面での環境は整いつつある（例えば、特許文献１、非特許文献１）。
【先行技術文献】
【特許文献】
【０００５】
【特許文献１】特開２００９−１１５６５２号公報
【非特許文献】
【０００６】
【非特許文献１】Ｇ．Ｓｎｅｌｌ  ｅｔ．ａｌ，“Ａｕｔｏｍａｔｅｄ  Ｓａｍｐｌｅ  Ｍｏｕｎｔｉｎｇ  ａｎｄ  Ａｌｉｇｎｍｅｎｔ  Ｓｙｓｔｅｍ  ｆｏｒ  Ｂｉｏｌｏｇｉｃａｌ  Ｃｒｙｓｔａｌｌｏｇｒａｐｈｙ  ａｔ  ａ  Ｓｙｎｃｈｒｏｔｒｏｎ  Ｓｏｕｒｃｅ”，Ｓｔｒｕｃｔｕｒｅ，ｖｏｌ．１２（２００４），５３７−５４５
【発明の概要】
【発明が解決しようとする課題】
【０００７】
しかしながら、その一方で、このＸ線結晶解析に供されるタンパク質結晶の提供に関しては、充分に環境が整っているとは言い難いのが実状である。【０００８】
即ち、精度の高いＸ線結晶解析を行うためには、良質な単結晶を提供する必要があるが、従来は、タンパク質結晶と塩とを非破壊で分別することができず、迅速な結晶解析を妨げていた。現状では、タンパク質結晶のみを染色する試薬を用いて、塩との分別を行う方法はあるが、染色しないタンパク質結晶があること、染色には数時間を要すること、また、一度染色された結晶は解析に使用することができないなどの問題が残されている。【０００９】
また、従来は、微小結晶や高濁度溶液中の結晶を、デジタルマイクロスコープや高解像度光学顕微鏡を用いて観測しているが、深さ方向の形状観測（３次元観測）が困難であった。また、高濁度溶液中での結晶観測はより困難であった。【００１０】
また、結晶の成長をリアルタイムに非破壊で高精度に観察する方法がないため、結晶の成長を高精度に制御することができず、良質な単結晶を提供することが困難であった。さらに、結晶化能の具体的な評価系が定まっていないため、結晶化の成功率は２０％以下に留まり、良質な単結晶を作製する手段を規定することが困難であるという問題もあった。【００１１】
さらに、前記したように、深さ方向の形状観測が困難であったために、解析に供する結晶の成形などのマウント操作について、人の手に委ねざるを得ないという問題もあった。【００１２】
このように、従来は、結晶の成長について、非破壊で、リアルタイムに３次元観測して、結晶の成長を高精度に制御することができないという問題があったため、良質な単結晶を提供することが困難で、前記した装置面での環境の整備を充分に活用することができていなかった。【００１３】
このため、タンパク質結晶の成長過程を、非破壊で、リアルタイムにその場計測によって３次元観測して、結晶の成長を高精度に制御することにより、良質な単結晶の作製を可能とするタンパク質結晶の観測技術が望まれていた。【００１４】
また、このような観測技術を用いたタンパク質結晶の評価技術や、タンパク質と塩との分別技術が望まれていた。
【課題を解決するための手段】
【００１５】
本発明者は、上記課題に鑑み、鋭意検討の結果、以下に記載する発明により、上記課題が解決できることを見出し、本発明を完成させるに至った。以下、各請求項の発明を説明する。【００１６】
請求項１に記載の発明は、
超広帯域光源から発する光を用いたＯＣＴ計測により、ゲルを用いた結晶化法により作製されるタンパク質結晶の観測を行うことを特徴とするタンパク質結晶の観測方法である。【００１７】
本発明者は、タンパク質結晶の成長過程を、非破壊で、リアルタイムにその場計測によって３次元観測する技術として、生体組織等の測定対象を切断せずに生体などの断層画像を取得するＯＣＴ計測（Ｏｐｔｉｃａｌ  Ｃｏｈｅｒｅｎｃｅ  Ｔｏｍｏｇｒａｐｈｙ：光断層計測）に着目した。【００１８】
本発明者は、このＯＣＴの理論分解能が、光源の中心波長とスペクトルの帯域幅によって決まるものであるため、超広帯域光源を用いることにより、微小で透明度の高いタンパク質結晶でも超高分解能なイメージが得られると考えた。【００１９】
そして、実験の結果、超広帯域光源を用いることにより、超高分解能のＯＣＴ計測が実現でき、大きさ数１０μｍのタンパク質結晶であっても充分に観測可能であることが分かった。【００２０】
このように、本請求項の発明においては、超広帯域光源から発する光を用いることにより、タンパク質結晶の成長過程を、非破壊で、リアルタイムに３次元観測することができ、観測された情報に基づき、結晶の成長過程を高精度に制御することができるため、良質な単結晶を作製することが可能となる。【００２１】
そして、光信号による情報を適宜抽出することにより、タンパク質結晶と塩、さらには各種反応生成物を識別することができるため、タンパク質結晶を非破壊で、明確に分別することができる。【００２２】
また、光信号による情報を適宜抽出することにより、微小結晶や高濁度溶液中の結晶であっても、充分３次元観測することができる。【００２３】
さらに、計測結果に基づき結晶化能の評価系を確立することができるため、スクリーニングの自動化を図ることが可能となる。そして、結晶の深さ方向の形状評価が可能となることにより、結晶のマウント操作を自動化することも可能となる。【００２４】
また、ゲルを用いた結晶化法においては、結晶中やその周囲にゲルを配置させた場合、ゲルにより、散乱光信号を増強することができるため、より超高分解能、高感度のＯＣＴ計測を実現することができ、結晶の成長をより高精度に制御して、より良質な単結晶を作製することができる。【００２５】
即ち、Ｘ線を用いてタンパク質結晶を正確に解析するためには、透明なタンパク質結晶であることが好ましい。しかし、透明なタンパク質結晶は、後方散乱光が少ないため、その成長過程を観測することが難しい。本発明者が検討を行ったところ、散乱光信号の増強を図り、結晶の屈折率差によって生じる位相差を抽出することにより、可視化が可能となることが分かった。【００２６】
そして、ゲルを用いた結晶化法の場合、結晶中やその周囲にゲルが配置されることにより、散乱光信号が増強されるため、結晶の屈折率差によって生じる位相差を容易に抽出して、容易に可視化することができ、透明なタンパク質結晶の成長を、容易かつ高精度に制御することができる。【００２７】
なお、「超広帯域光源」とは、スペクトルの帯域幅が５０〜１０００ｎｍの光を発する光源を指す。具体的には、単一、または複数のＳＬＤ（スーパールミネッセントダイオード）を連結した超広帯域発光ダイオードや超広帯域スーパーコンティニューム（ＳＣ）光源などを挙げることができる。【００２８】
請求項２に記載の発明は、
前記超広帯域光源が、超広帯域スーパーコンティニューム光源であることを特徴とする請求項１に記載のタンパク質結晶の観測方法である。【００２９】
前記したように、超広帯域光源を用いることにより、超高分解能なイメージを得ることができるが、より高感度で超高分解能なＯＣＴ計測を行うためには、本発明者が特開２００８−２８１５号公報において示している、非線形効果によって超広帯域に広がるスーパーコンティニューム光源（ＳＣ光源）を採用することが好ましく、その内でも、低雑音、高コヒーレンスで、かつガウス型などの単峰で滑らかなスペクトル形状を有する高精度な超広帯域ＳＣ光源が好ましいことが分かった。【００３０】
なお、このような高精度な超広帯域ＳＣ光源は、そのままでは帯域が広すぎ、帯域が光ファイバで制限されてしまう通常のファイバ型ＯＣＴには用いることができないため、ファイバを用いるＯＣＴに合わせて、例えば、スペクトルの帯域幅が１００〜２００ｎｍの光を発する光源が使用される。【００３１】
そして、このような超広帯域ＳＣ光源を用いた場合、高感度で超高分解能な計測が可能となると共に、直線偏光を活用した偏光依存性の計測や、非常に広く帯域を広げたときの分光計測、コヒーレンスを生かした位相差計測など高機能な計測が可能となるため、結晶の観測のみならず、その周囲環境の組成や物性などの情報も観測することができる。【００３２】
請求項３に記載の発明は、
前記超広帯域スーパーコンティニューム光源から発する光の中心波長が、０．８μｍ帯であることを特徴とする請求項２に記載のタンパク質結晶の観測方法である。【００３３】
超高分解能、高感度のＯＣＴ計測を行うためには、中心波長が０．８μｍ帯の超広帯域ＳＣ光が好ましく、この波長の超広帯域ＳＣ光を用いることにより、深さ分解能２μｍ以下、感度１１０ｄＢ以上の超高分解能、高感度のＯＣＴ計測が現実的なものとなる。【００３４】
請求項４に記載の発明は、
前記タンパク質結晶の観測が、その場計測による観測であることを特徴とする請求項１ないし請求項３のいずれか１項に記載のタンパク質結晶の観測方法である。【００３５】
前記したように、超広帯域光を用いることにより、タンパク質結晶の成長過程を、非破壊で、リアルタイムに３次元計測することができるため、その場計測による高精度の観測が可能となり、その場計測された情報を適宜フィードバックすることにより、計測結果に基づき結晶化能の評価系を形成したり、スクリーニングを自動化したりすることができる。さらには、このフィードバックに基づいて、結晶の成長過程を適切に制御することにより、良質な単結晶を自動化により作製することも可能となる。そして、結晶の深さ方向の形状評価が可能となることにより、結晶のマウント操作を自動化することも可能となり、結晶の作製からＸ線結晶解析までの全ての過程を自動化することが望める。【００３６】
請求項５に記載の発明は、
請求項１ないし請求項４のいずれか１項に記載のタンパク質結晶の観測方法を用いて、タンパク質結晶の評価を行うことを特徴とするタンパク質結晶の評価方法である。【００３７】
上記のタンパク質結晶の観測方法を用いることにより、高感度で超高分解能な計測が可能となると共に、直線偏光を活用した偏光依存性の計測や、非常に広く帯域を広げたときの分光計測、コヒーレンスを生かした位相差計測など高機能な計測が可能となるため、結晶の周囲環境の組成や物性などの情報も観測することができ、結晶化能の評価系を確立することができる。【００３８】
請求項６に記載の発明は、
請求項１ないし請求項４のいずれか１項に記載のタンパク質結晶の観測方法を用いて、タンパク質結晶と塩との分別を行うことを特徴とするタンパク質結晶と塩との分別方法である。【００３９】
上記のタンパク質結晶の観測方法を用いて、光信号による情報を適宜抽出することにより、タンパク質結晶と塩とを識別することができるため、タンパク質結晶を非破壊で、明確に分別して、良質な単結晶を作製することができる。【００４０】
請求項７に記載の発明は、
タンパク質と塩とを含有する被測定材料をゲル化してゲル液を作製するゲル液作製工程と、
前記ゲル液から前記タンパク質を結晶化させるタンパク質結晶化工程と、
前記タンパク質結晶化工程後の前記ゲル液を、超広帯域光源から発する光を用いてＯＣＴ計測するＯＣＴ計測工程と、
前記ＯＣＴ計測における光信号による情報を抽出することにより、前記タンパク質結晶と前記塩とを分別する分別工程と
を備えていることを特徴とするタンパク質結晶と塩との分別方法である。【００４１】
前記したように、超広帯域光源を用いることにより、タンパク質結晶を高精度に観測することが可能となる。また、ゲルを用いた結晶化法により、散乱光信号を増強して、タンパク質結晶をより容易に観測することが可能となる。【００４２】
一方、ゲルを用いた結晶化法においては、タンパク質と共に塩を用いてゲル液を作製するため、タンパク質結晶の成長と共に塩の結晶も生成される恐れがある。このため、ゲル液から成長した結晶が、タンパク質結晶か塩の結晶であるかを分別する必要がある。【００４３】
しかし、上記したように、超広帯域光源を用い、さらにゲルにより散乱光信号の増強がなされるため、ＯＣＴ計測によりタンパク質結晶と塩とを容易に分別することができる。【００４４】
請求項８に記載の発明は、
前記超広帯域光源が、超広帯域スーパーコンティニューム光源であることを特徴とする請求項７に記載のタンパク質結晶と塩との分別方法である。【００４５】
前記した通り、超広帯域ＳＣ光源を用いた場合、高感度で超高分解能な計測が可能となると共に、コヒーレンスを生かした位相差計測など高機能な計測が可能となるため、タンパク質結晶と塩とをより精度高く分別することができる。【００４６】
請求項９に記載の発明は、
前記超広帯域スーパーコンティニューム光源から発する光の中心波長が、０．８μｍ帯であることを特徴とする請求項８に記載のタンパク質結晶と塩との分別方法である。【００４７】
前記した通り、中心波長が０．８μｍ帯の超広帯域ＳＣ光を用いることにより、深さ分解能２μｍ以下、感度１１０ｄＢ以上の超高分解能、高感度のＯＣＴ計測が可能となるため、タンパク質結晶と塩とをさらに精度高く分別することができる。【００４８】
上記したタンパク質結晶の観測は、以下に示す装置を用いて行うことが好ましい。【００４９】
即ち、本発明に係るタンパク質結晶の観測方法に用いられるＯＣＴ計測装置は、
超広帯域光源と、
前記超広帯域光源から発した光を、信号光と参照光とに分岐する光分岐手段と、
前記光分岐手段により分岐された信号光を、前記タンパク質結晶に照射する信号光照射手段と、
前記光分岐手段により分岐された参照光の光路長を調節する光路長調節手段と、
前記光路長調節手段により光路長が変更された参照光と、前記信号光照射手段により照射され、前記タンパク質結晶により反射された散乱光との干渉信号に基づいて、前記タンパク質結晶の内部の断層情報を計測する計測手段と
を備えていることが好ましい。【００５０】
上記は、本発明に係るタンパク質結晶の観測方法に用いられる好ましいＯＣＴ計測装置を具体的に規定するものであり、以下、図２に基づいて説明する。図２は、ＯＣＴ計測装置の主要部を模式的に示したものであり、ＯＣＴ計測における測定原理を説明する図である。図２において、１０ａは光源、３４ａは参照光用鏡、３５ａは光分岐器（ビームスプリッタ）、４０ａは光検知器、５０ａは試料である。なお、参照光用鏡３４ａは、上下方向に移動して（移動量Δｍ）、参照光の光路長を変更できるようになっている。【００５１】
図２に示すように、光源１０ａより発せられた光は、光分岐器３５ａにより、試料５０ａに向かう信号光と参照光用鏡３４ａに向かう参照光とに分割される。試料５０ａに向かった信号光は試料５０ａに入射された後、反射されて散乱光を発生する。一方、参照光用鏡３４ａに向かった参照光は参照光用鏡３４ａにより反射される。このとき、試料５０ａ内の測定深さに応じて、参照光用鏡３４ａを移動させ、参照光の光路長を調節する。その後、発生した散乱光と、光路長が調節された参照光とは、合波手段により、空間的に重ね合わされて、干渉を引き起こす。この干渉光が光検出器４０ａにより検出され、測定される。この結果、タンパク質結晶の内部の断層に応じた情報を計測することができる。【００５２】
なお、上記光検出器４０による分解能ΔＺは、以下の式で表される。【００５３】
【数１】
2012039377.tif 000003
但し、λはガウス型のスペクトルの中心波長、Δλはこのときのスペクトル幅である。【００５４】
上記の式より、Δλが大きい（帯域が広い）ほどΔＺが小さくなり、高分解能となることが分かる。【００５５】
このため、本発明に係るタンパク質結晶の観測方法においては、光源の一例としてとして、図３に示すようなスペクトルを有する超広帯域ＳＣ光源を用いている。図３において、上図はこの超広帯域ＳＣ光を線形表示したものであり、下図は対数表示したものである。なお、両図において横軸は波長（ｎｍ）であり、縦軸は強度（ａ．ｕ．およびｄＢ）である。図３に示すように、この超広帯域ＳＣ光は、２０ｄＢ程度の強度を示す波長１３００〜２０００ｎｍの広い帯域（バンド幅）において（Δλ＝５８０ｎｍ）、強度としては２ｄＢという平坦性を示している。このため、低雑音、高コヒーレンス、高強度の測定が可能となり、大きさ数１０μｍのタンパク質結晶であっても、超高分解能ＯＣＴ計測を行うことができ、非破壊で、リアルタイムに３次元観測することができる。【００５６】
そして、上記ＯＣＴ計測装置においては、前記超広帯域光源が、超広帯域スーパーコンティニューム光源であることが好ましい。【００５７】
前記したように、超広帯域光源を用いることにより、高分解能なイメージを得ることができ、その超広帯域光源の内でも、低雑音、高コヒーレンスで、かつガウス型などの単峰で滑らかなスペクトル形状を有する高精度な超広帯域ＳＣ光源を用いた場合、高感度で超高分解能な計測が可能となると共に、直線偏光を活用した偏光依存性の計測や、非常に広く帯域を広げたときの分光計測、コヒーレンスを生かした位相差計測など高機能な計測が可能となるため、結晶の観測のみならず、その周囲環境の組成や物性などの情報も観測することができる。【００５８】
また、本発明に係るタンパク質結晶の観測方法に用いられるタンパク質結晶の観測装置としては、上記のＯＣＴ計測装置を備えていることが好ましい。【００５９】
超高分解能、高感度のＯＣＴ計測装置を備えているため、大きさ数１０μｍのタンパク質結晶であっても、超高分解能、高感度のＯＣＴ計測を行うことができ、非破壊で、リアルタイムに３次元観測することができる。この結果、結晶の成長をより高精度に制御して、より良質な単結晶を作製することができ、Ｘ線結晶解析を用いたタンパク質の立体構造の迅速かつ精度高い解析に大きく寄与することができる。【００６０】
このように、超高分解能、高感度のＯＣＴ計測装置を用いることにより、超高分解能、高感度のＯＣＴ計測を行うことができるため、タンパク質結晶の成長を、非破壊で、リアルタイムに３次元観測することができる。そして、観測された情報に基づき、結晶の成長過程を高精度に制御することができるため、良質な単結晶を作製することができる。【００６１】
また、このようなタンパク質結晶の観測装置を用いることにより、前記したように、高感度で超高分解能な計測が可能となると共に、直線偏光を活用した偏光依存性の計測や、非常に広く帯域を広げたときの分光計測、コヒーレンスを生かした位相差計測など高機能な計測が可能となるため、結晶の周囲環境の組成や物性などの情報も観測することができ、結晶化能の評価系を確立することができる。【００６２】
そして、光信号による情報を適宜抽出することにより、タンパク質結晶と塩を識別することができるため、タンパク質結晶を非破壊で、明確に分別して、良質な単結晶を作製することができる。
【発明の効果】
【００６３】
本発明によれば、タンパク質結晶の成長過程を、非破壊でリアルタイムに３次元観測して、結晶の成長を高精度に制御することができ、良質な単結晶の作製が可能となる。
【図面の簡単な説明】
【００６４】
【図１】本発明の実施の形態において用いられるＯＣＴ装置の要部の構成の一例を示す図である。
【図２】ＯＣＴ計測における測定原理を示す図である。
【図３】本発明の実施の形態において用いられるＯＣＴ装置の超広帯域ＳＣ光の波長と強度の関係の一例を示す図である。
【図４】本発明の実施の形態において用いられるＯＣＴ装置の超広帯域ＳＣ光の波長と強度の関係の一例を示す図である。
【図５】本発明の実施の形態において用いられるＯＣＴ装置の別の一例における超広帯域ＳＣ光生成部を示す図である。
【図６】本発明の実施の形態において用いられるＯＣＴ装置の別の一例を示す図である。
【図７】本発明の実施の形態において用いられるＯＣＴ装置の超広帯域ＳＣ光の波長と強度の関係の一例を示す図である。
【図８】本発明の実施の形態における干渉波形の一例を示す図である。
【図９】本発明の実施例１の結晶観測における顕微鏡画像およびＯＣＴイメージである。
【図１０】本発明の実施例２の結晶観測における顕微鏡画像である。
【図１１】本発明の実施例２の結晶観測におけるＯＣＴイメージを示す図である。
【図１２】本発明の実施例３におけるタンパク質の結晶のＯＣＴイメージを示す図である。
【図１３】本発明の実施例３におけるタンパク質の結晶のＯＣＴイメージを示す図である。
【図１４】本発明の実施例４におけるタンパク質の結晶のＯＣＴイメージを示す図である。
【図１５】本発明の実施例５におけるタンパク質の結晶のＯＣＴイメージを示す図である。
【図１６】本発明の実施例６におけるタンパク質の結晶のＯＣＴイメージを示す図である。
【発明を実施するための形態】
【００６５】
以下、本発明を実施の形態に基づいて説明する。なお、本発明は、以下の実施の形態に限定されるものではない。本発明と同一および均等の範囲内において、以下の実施の形態に対して種々の変更を加えることが可能である。
【００６６】
［１］ＯＣＴ装置
最初に、ＯＣＴ装置について説明する。なお、以下では、平均波長１．５μｍの超広帯域ＳＣ光生成部が設けられたＯＣＴ装置と、平均波長０．８μｍの超広帯域ＳＣ光生成部が設けられたＯＣＴ装置とを例に挙げて説明する。
【００６７】
１．平均波長１．５μｍの超広帯域ＳＣ光生成部が設けられたＯＣＴ装置
図１は、本発明の実施の形態において用いられるＯＣＴ装置の一例である平均波長１．５μｍの超広帯域ＳＣ光生成部が設けられたＯＣＴ装置の要部の構成を示す図である。このＯＣＴ装置は、太い実線で示される超広帯域ＳＣ光生成部と細い実線で示される観測部に大別される。
【００６８】
（１）超広帯域ＳＣ光生成部
（イ）構成
図１において、１０は半導体レーザであり、１１は偏光ビームカプラ（ＰＢＣ）であり、１２は波長分割多重カプラ（ＷＤＭ）である。１３は高濃度エルビウム添加ファイバ（ＨＣ−ＥＤＦ）（１００ｃｍ）であり、１４は外部モニタとの接続部（Ｍｏｎｉｔｏｒ  ｏｕｔ）である。
【００６９】
１５は単一モードファイバ（ＳＭＦ２８）であり、１６は正常分散型非線形ファイバ（ＮＤＨＮＦ）である。
【００７０】
２０はレンズ系であり、λ／２は半波長板を、λ／４は１／４波長板を示し、ＰＢＳは偏光ビームスプリッタを示す。また、ＦＲはファラデー回転子を、ＢＴは複屈折板を示す。
【００７１】
（ロ）機能
半導体レーザ１０は、波長９７６ｎｍのレーザ光を生成する超短パルスレーザであり、図１においては、高出力化の観点より２台配置されている。また、波長９７６ｎｍの光を採用しているのは、エルビウム添加ファイバの励起に適しているためである。
【００７２】
２つの半導体レーザ１０により生成された各レーザ光は、ＰＢＣ１１により偏光される。偏光された２つのレーザ光は、ＷＤＭ１２にて合波される。合波されたレーザ光は、高濃度エルビウム添加ファイバ１３により、強度が増加されてレンズ系２０に送られる。
【００７３】
レンズ系２０を経由し、単一モードファイバ１５に至ったレーザ光は、その後、高濃度エルビウム添加ファイバ１６により、図４に示すガウス型のスペクトル（平均波長１．５μｍ）を有する超広帯域ＳＣ光が生成される。
【００７４】
（２）観測部
（イ）構成
図１において、３０はサーキュレータ（Ｃｉｒｃｕｌａｔｏｒ）、３１は照準光照射器（Ａｉｍｉｎｇ  ｂｅａｍ）である。
【００７５】
３２はスキャンニング照射受光手段としてのＯＣＴプローブ（ＯＣＴ  ｐｒｏｂｅ）、３４は光路長調整手段としての高速度走査部（Ｈｉｇｈ  ｓｐｅｅｄ  ｓｃａｎｎｉｎｇ  ｄｅｌａｙ  ｌｉｎｅ）であり、３３ａおよび３３ｂはそれぞれの偏光調整器（Ｐｏｌａｒｉｚａｔｉｏｎ  ｃｏｎｔｒｏｌｌｅｒ）である。
【００７６】
３５は光分岐器兼合波器、３６は光分岐器である。４０は光検知器（Ｄｅｔｅｃｔｏｒ）であり、４１はその電子機器部（Ｄｅｔｅｃｔｉｏｎ  ｅｌｅｃｔｒｏｎｉｃ）であり、コンピュータ４２に接続されている。そして、５０は観測される試料（Ｓａｍｐｌｅ）である。
【００７７】
（ロ）機能
上記において生成された超広帯域ＳＣ光は、サーキュレータ３０を経由して、光分岐器兼合波器３５に送られ、５０／５０、即ち、信号光と参照光とに均等に分岐される。
【００７８】
信号光は、偏光調整器３３ａを経由して、ＯＣＴプローブ３２に送られ、参照光は、偏光調整器３３ｂを経由して、高速度走査部３４に送られる。
【００７９】
ＯＣＴプローブ３２に送られた信号光は、試料５０に照射される。この信号光の照射により、試料５０から散乱光が発生する。なお、照射に際しては、図示してある２個のレンズの間隔を調節して、試料５０中での焦点位置を変更することが出来る。一方、高速度走査部３４に送られた参照光は、光路長を変化させて反射される。
【００８０】
散乱光は、ＯＣＴプローブ３２で受光され、偏光調整器３３ａを経由して光分岐器兼合波器３５に送られる。一方、光路長が調整された参照光は偏光調整器３３ｂを経由して光分岐器兼合波器３５に送られる。
【００８１】
散乱光と参照光とは、光分岐器兼合波器３５において合波され、干渉光を生成する。生成された干渉光は、照準光照射器３１からの光と、１０：９０の比率で合波されて、光検知器４０へと送られる。
【００８２】
干渉光を検知した光検知器４０は、それに対応した干渉信号を出力する。干渉信号は、電子機器部４１を経由してコンピュータ４２に送られた後、処理されて試料５０の位置情報を出力する。
【００８３】
２．平均波長０．８μｍの超広帯域ＳＣ光生成部が設けられたＯＣＴ装置
図５は、本発明の実施の形態において用いられるＯＣＴ装置の別の一例である平均波長０．８μｍの超広帯域ＳＣ光生成部が設けられたＯＣＴ装置の超広帯域ＳＣ光生成部を示す図である。そして、図６は、このＯＣＴ装置を示す図である。
【００８４】
図５において、７１は超広帯域ＳＣ光生成部であり、７２はＴｉ：サファイアレーザであり、７３は偏光器であり、７４は偏波保持ファイバ（ＰＭＦ）であり、７５は単一モードファイバ（ＳＭＦ）である。超広帯域ＳＣ光生成部７１では図７に示した平均波長０．８μｍの超広帯域ＳＣ光が生成される。
【００８５】
高強度の超短パルスレーザー（Ｔｉ：サファイアレーザ）７２と正常分散の特性を示す偏波保持ファイバ（ＰＭＦ）７４を用いることにより、雑音が非常に大きな一般的なＳＣ光と異なり、高強度・低雑音・ガウス型で広帯域な高精度ＳＣ光が超広帯域ＳＣ光生成部７１で生成される。
【００８６】
なお、図５において、ＰＭＦ７４の出力に偏光子を用いた場合、直線偏光な、より高精度のＳＣ光とすることができるため、メインの偏光成分に直交する他の小さな成分によるゴースト（余分な干渉信号）が発生する偏光度が悪い場合と異なり、より高精度な検出が可能となる。
【００８７】
図６において、８１はＯＣＴ装置であり、８２は図５で示した超広帯域ＳＣ光生成部であり、８３はバランス検出器（Ｂａｌａｎｃｅｄ  ｄｅｔｅｃｔｏｒ）であり、８４はコンピュータ（ＰＣ）であり、８５は照準光照射器であり、８６、８７は光路長調整用のＰＣであり、８８はガルバノミラー（ＸＹ  Ｇａｌｖｏ）であり、８９はファイバカプラである。ファイバカプラ８９としては波長帯域の広い１：１のファイバカプラを用い、測定系の波長分散を補償すると共に、焦点距離が短く色分散を補正したレンズを用いる。図６に示したＯＣＴ装置の光源として、図７のスペクトルを有する超広帯域ＳＣ光を用いることにより、例えば図８に示した干渉波形が得られる。即ち、サイドの成分がない綺麗な干渉波形が得られ、空気中で２．９μｍ、サンプル中で２．１μｍの超高分解能計測が可能となる。
【００８８】
なお、図６に示したＯＣＴ装置を用いた測定においては、赤色の参照ビームをＳＣ光に重ねてサンプルにレーザを照射し、ＣＣＤカメラによりレーザの照射位置を観察しつつ、３Ｄ計測でタンパク質結晶の構造や配置を観測する。このとき、サンプルを載せた台を自動制御で動かすことにより、同じプレート上の異なるサンプルを観測することもできる。
【００８９】
［２］タンパク質結晶
次に、試料であるタンパク質結晶について説明する。本実施の形態においては、ゲル中で結晶成長させたタンパク質結晶が好ましく用いられる。具体的には、寒天のようなゲル中にタンパク質を染込ませたり、ゲルとタンパク質とを混合して静置しておくことにより、結晶成長させることが好ましい。
【００９０】
ゲル中で結晶成長させることにより、３００ｎｍ程度の大きさのゲルの網目の中に、３〜５ｎｍの大きさのタンパク質の結晶が多数存在するため、強い散乱を得ることができ、透明で見えにくい結晶の可視化が可能となる。
【実施例】
【００９１】
以下に、実施例を挙げ、本発明をより具体的に説明する。なお、以下の実施例においては、前記した平均波長０．８μｍの超広帯域ＳＣ光生成部が設けられたＯＣＴ装置を使用した。【００９２】
（実施例１）
本実施例においては、ゲル中で結晶成長させたタンパク質結晶を、光学顕微鏡および超広帯域ＳＣ光を光源とするＯＣＴ装置を用いて観測し、両者の観測結果を比較した。【００９３】
１．結晶化条件
（１）タンパク質溶液の調製
６０ｍｇの卵白リゾチームを、１．０ｍｌの０．１Ｍ酢酸ナトリウムに溶解させ、６０ｍｇ／ｍｌのタンパク質溶液を調製した。【００９４】
（２）リザーバー溶液の調製
０．１Ｍ濃度の酢酸ナトリウム溶液（溶媒：超純水）を調製し（ｐＨ：４．５）、さらに、５．１２Ｍ濃度の塩化ナトリウムを溶かし込み、リザーバー溶液を調製した。【００９５】
（３）寒天液（ゲル）の調製
３ｍｇの寒天と５０ｍｌの超純水を用いて寒天液を調製し、その後、寒天液４００μｌに超純水１００μｌを加え、ゲル液とした。【００９６】
（４）クエン酸ナトリウム溶液の調製
０．６Ｍ濃度のクエン酸ナトリウム溶液（溶媒：超純水）を調製した。【００９７】
（５）塩化カルシウム溶液の調製
１３２ｍｇの塩化カルシウム二水和物を１ｍｌの超純水に溶解して、１．５Ｍ濃度の塩化カルシウム溶液を調製した。【００９８】
（６）タンパク質結晶の作製
１μｌのタンパク質溶液、１μｌのリザーバー溶液、１μｌのクエン酸ナトリウム溶液、１μｌの塩化カルシウム溶液、２μｌのゲル液を混和し、以下に記載する最終濃度の結晶作製溶液とした。
タンパク質            ：１０ｍｇ／ｍｌ
塩化ナトリウム        ：０．８５Ｍ
酢酸ナトリウム        ：０．０６６Ｍ、ｐＨ４．５
クエン酸ナトリウム    ：０．１Ｍ
塩化カルシウム        ：０．２５Ｍ
アガロースゲル        ：１．６％【００９９】
その後、２０℃で静置し、バッチ法にてタンパク質結晶を形成させた。【０１００】
２．結晶化の観測
７２時間経過後、以下に示す観測条件の下、光学顕微鏡およびＯＣＴ装置を用いて、結晶の成長状況を観測した。【０１０１】
（１）観測条件
イ．顕微鏡観測
光学顕微鏡：Ｎｉｋｏｎ  ＳＭＺ１０００
光源      ：白色光【０１０２】
ロ．ＯＣＴ観測
・光源      ：８１０ｎｍ中心ＳＣ光、帯域幅１３４ｎｍ
・測定感度  ：１００ｄＢ
・光強度    ：ＳＣ出力３５０ｍＷ、干渉計入力３０ｍＷ
・分解能    ：空気中２．９μｍ、サンプル中２．０μｍ
・観測領域  ：横２ｍｍ×縦２ｍｍ×高さ１ｍｍ（３次元）
・ピクセル数：横２５０×縦２５０×高さ１０００（３次元）【０１０３】
（２）観測結果
観測結果を図９に示す。図９において、（ａ）は顕微鏡画像であり、（ｂ）はＯＣＴイメージである。沈殿中にタンパク質結晶が存在する（○印で示した箇所）が、図９（ａ）に示すように、顕微鏡画像では結晶の存在の確認が困難である。これに対して、ＯＣＴイメージでは、図９（ｂ）に示すように、リゾチームの結晶を明確に確認することができる。【０１０４】
(実施例２）
本実施例においては、タンパク質結晶と低分子塩が共存する試料を調製し、光学顕微鏡およびＯＣＴ装置による観測結果を比較した。【０１０５】
１．結晶化条件
（１）タンパク質溶液の調製
７２ｍｇの卵白リゾチームを、１．０ｍｌの０．１Ｍ酢酸ナトリウムに溶解させ、７２ｍｇ／ｍｌのタンパク質溶液を調製した。【０１０６】
（２）リザーバー溶液の調製
０．１Ｍ濃度の酢酸ナトリウム溶液（溶媒：超純水）を調製し（ｐＨ：４．５）、さらに、５．１２Ｍ濃度の塩化ナトリウムを溶かし込み、リザーバー溶液を調製した。【０１０７】
（３）寒天液（ゲル）の調製
３ｍｇの寒天と５０ｍｌの超純水を用いて寒天液を調製し、ゲル液とした。【０１０８】
（４）リン酸カリウム溶液の調製
０．６Ｍ濃度のリン酸カリウム溶液（溶媒：超純水）を調製した（ｐＨ７．５)。【０１０９】
（５）塩化カルシウム溶液の調製
２２ｍｇの塩化カルシウム二水和物を１ｍｌの超純水に溶解して、０．１５Ｍ濃度の塩化カルシウム溶液を調製した。【０１１０】
（６）タンパク質結晶の作製
１μｌのタンパク質溶液、１μｌのリザーバー溶液、１μｌのリン酸カリウム溶液、１μｌの塩化カルシウム溶液、２μｌのゲル溶液を混和し、以下に記載する最終濃度の結晶作製溶液とした。
タンパク質        ：１２ｍｇ／ｍｌ
塩化ナトリウム    ：０．８５Ｍ
酢酸ナトリウム    ：０．０６６Ｍ、ｐＨ４．５
リン酸カリウム    ：０．１Ｍ、ｐＨ７．５
塩化カルシウム    ：０．０５Ｍ
アガロースゲル    ：２％【０１１１】
その後、２０℃で静置し、バッチ法にてタンパク質結晶を形成させた。【０１１２】
２．結晶化の観測
（１）観測条件
７２時間経過後、実施例１と同じ観測条件で顕微鏡観測およびＯＣＴ観測を行った。なお、ＯＣＴ観測の観測領域（断面）は横２ｍｍ×高さ０．５ｍｍ、ピクセル数は横２５０×高さ５００で行った。【０１１３】
（２）観測結果
光学顕微鏡の観測結果を図１０に示し、ＯＣＴ観測の結果を図１１に示す。図１０、１１において、左側にある低分子塩の結晶はリン酸カルシウムを示し、右側にあるタンパク質結晶はリゾチームの結晶を示している。図１０に示すように、顕微鏡画像ではいずれも透明な結晶であり、両者を分別することは困難である。これに対して、ＯＣＴイメージでは、図１１に示すように、形状や信号強度に明らかに差異があり、両者を分別することができる。【０１１４】
（実施例３）
本実施例は、タンパク質として卵白リゾチームの結晶をゲル中で成長させるにあたって、ゲル濃度を変えて結晶成長を行ったときの様子を観測したものである。【０１１５】
１．結晶化条件
（１）タンパク質溶液の調製
１５０ｍｇの卵白リゾチームを、１．０ｍｌの０．１Ｍ酢酸ナトリウムに溶解させ、１５０ｍｇ／ｍｌのタンパク質溶液を調製した。【０１１６】
（２）リザーバー溶液の調製
０．１Ｍ濃度の酢酸ナトリウム溶液（溶媒：超純水）を調製し（ｐＨ：４．５）、さらに、１．５３Ｍ濃度の塩化ナトリウムを溶かし込み、リザーバー溶液を調製した。【０１１７】
（３）寒天液（ゲル）の調製
３ｍｇの寒天と５０ｍｌの超純水を用いて寒天液を調製し、その後、寒天液４５０μｌに超純水５０μｌを加え、ゲル液とした。【０１１８】
（４）タンパク質結晶の作製
２μｌのゲル液、２μｌのタンパク質溶液と２μｌのリザーバー溶液を混和し、最終濃度５０ｍｇ／ｍｌタンパク質、０．５１Ｍ塩化ナトリウム、１．８％アガロースゲルの結晶作製溶液とし、２０℃で静置し、バッチ法にてタンパク質結晶を形成させた。【０１１９】
２．結晶化の観測
７２時間経過後、ＯＣＴ観測を行った。【０１２０】
（１）観測条件
・光源    ：中心波長８１０ｎｍの超広帯域ＳＣ光源、帯域幅１３４ｎｍ
・測定強度：１００ｄｂ
・光強度  ：ＳＣ出力３５０ｍＷ、干渉計入力：３０ｍＷ【０１２１】
上記の観測条件の下、ＣＣＤカメラを用いて、結晶と照射光との位置をモニタしながら、ゲル中における結晶の成長状況を観測した。【０１２２】
（２）観測結果
観測結果（ＯＣＴイメージ）を、図１２および図１３に示す。図１２、１３において、横軸は横方向の位置を示し、縦軸は縦方向の位置を示している。なお、図１２における（ａ）、（ｂ）および図１３における（ａ）〜（ｄ）は、１．８％アガロースゲル中で育成したリゾチームの結晶を示しており、それぞれは、同一サンプルの異なる測定点での測定結果である。なお、これらの２次元のイメージを組み合わせることにより、３次元イメージを作成することが可能となる。【０１２３】
図１２、１３より、ＯＣＴ計測を用いることにより、タンパク質の結晶を、ゲルや空気と鮮明に分別できることが分かる。【０１２４】
（実施例４）
本実施例は、タンパク質としてリゾチームの結晶をゲル中で成長させるにあたって、ゲル材料を変えて結晶成長を行ったときの様子を観測したものである。【０１２５】
１．結晶化条件
・タンパク質溶液：リゾチーム（Ｌｙｓｏｚｙｍｅ)  ５０ｍｇ／ｍｌ
・リザーバー溶液：０．１Ｍ  酢酸ナトリウム（Ｓｏｄｉｕｍ  ａｃｅｔ
ａｔｅ）
（ｐＨ：４．５）
０．５１Ｍ  塩化ナトリウム（Ｓｏｄｉｕｍ  ｃｈｒ
ｏｌｉｄｅ）
・ゲル液：Ａｇａｒｏｓｅ  ＩＸ−Ａ（ＳＩＧＭＡ社製）３ｇを５０ｍｌ            の超純水で調製し、６％ゲル液とした。この液を一度ゲル化さ            せた後、再び融解し、超純水で６倍および３倍に希釈し、１％            ゲル液および２％ゲル液とした。【０１２６】
得られたゲルの２μｌを、結晶化用プレートのドロップ部分に添加し、固化した後、上記タンパク質溶液２μｌとリザーバー溶液２μｌとの混合溶液を、固化したゲルの上に積層した。次に、リザーバー部分に、リザーバー溶液１００μｌを加え、２０℃にて静置し、シッティングドロップ蒸気拡散法にてタンパク質結晶を形成させた。【０１２７】
２．結晶化の観測
１２０時間経過後、各混合液を用いて、ＯＣＴ観測を行った。【０１２８】
（１）観測条件
実施例３と同じ観測条件で行った。【０１２９】
（２）観測結果
観測結果（ＯＣＴイメージ）を、図１４に示す。なお、図１４において、Ａ１、Ｃ１、Ｅ１はプレートのドロップ番号を表し、１％、２％、６％は最終ゲル濃度を表している。図１４に示すように、溶液中にタンパク質結晶が存在する場合、ＯＣＴイメージにおいて位相差の発生を確認することができ、タンパク質結晶の存在を確認することができる。そして、この位相差は、結晶の形に散乱が生じることにより見えるものであるため、タンパク質結晶が扁平な形状であることが分かる。【０１３０】
また、ゲル中にタンパク質結晶が存在する場合や、ゲル上にタンパク質結晶が存在する場合、ＯＣＴイメージにおいて偏光の変化を確認することができ、タンパク質結晶の存在を確認することができる。【０１３１】
以上より、ゲル材料を選択することによって、溶液中、ゲル上、ゲル中の何れに形成された結晶であっても、その成長を観測することができ、結晶周囲の状況も確認できることが検証された。そして、本実施例においては、ゲル液が濁っているにも拘わらず、上記の観測を行えることが確認できた。【０１３２】
（実施例５）
本実施例は、タンパク質としてＳｙｎｅｃｈｏｃｏｃｃｕｓ由来ｐｈｏｓｐｈｏｒｉｂｕｌｏｋｉｎａｓｅ（ＰＲＫ）の結晶をゲル中で成長させるにあたって、ゲル材料を変えて結晶成長を行ったときの様子を観測したものである。【０１３３】
１．結晶化条件
・タンパク質溶液：ＰＲＫ  ２０ｍｇ／ｍｌ
・リザーバー溶液：０．１Ｍ  ＭＥＳ−ＫＯＨ（ｐＨ６．５）
１０％（ｗ／ｖ）Ｉｓｏｐｒｏｐａｎｏｌ
０．２Ｍ  酢酸カリウム（Ｐｏｔａｓｓｉｕｍ  ａｃ
ｅｔａｔｅ）
・ゲル液：Ａｇａｒｏｓｅ  ＳｅａＫｅｍ（Ｌｏｎｚａ社製）３ｇを５０            ｍｌの超純水で調製し、６％ゲル液とした。この液を一度ゲル            化させた後、再び融解し、超純水で６倍、３倍および１．５倍            に希釈し、１％ゲル液、２％ゲル液、および４％ゲル液とした            。【０１３４】
上記したゲル液を用いたこと以外は、実施例４と同じ方法によりタンパク質結晶を形成させた。【０１３５】
２．結晶化の観測
１２０時間経過後、各混合液を用いて、ＯＣＴ観測を行った。【０１３６】
（１）観測条件
実施例３と同じ観測条件で行った。【０１３７】
（２）観測結果
観測結果（ＯＣＴイメージ）を、図１５に示す。なお、図１５において、Ｃ１、Ｅ１、Ｇ１はプレートのドロップ番号を表し、１％、２％、４％は最終ゲル濃度を表している。また、「４μｌ（２μｌ＋２μｌ）」は、混合溶液の量でタンパク質溶液２μｌにリザーバー溶液２μｌを加え総量４μｌになっていることを示す。図１５に示すように、本実施例においても、実施例４と同様に、溶液中、ゲル上、ゲル中の何れに形成された結晶であっても、その成長を観測することができる。そして、本実施例においても、ゲル液が濁っているにも拘わらず、上記の観測を行うことができた。【０１３８】
また、図１５中央図では、２つのタンパク質結晶の存在を確認することができるが、その散乱強度の違いにより、一方（左側）は結晶性が良く、他方（右側）は結晶性が悪いことが分かる。このように、本実施例によれば、散乱強度の違いにより、結晶性の良否を観測することができる。【０１３９】
（実施例６および比較例）
本実施例は、タンパク質としてＰＲＫの結晶をゲル中で成長させるにあたって、実施例４、５とは異なるゲル材料を用いて結晶成長を行ったときの様子を観測したものである。また、本比較例は、光学顕微鏡により観測したものである。【０１４０】
１．結晶化条件
タンパク質溶液、およびリザーバー溶液は、実施例５と同じものを用いた。ゲル液としては、Ａｇａｒｏｓｅ  ＳｅａＰｌａｑｕｅ（ｌｏｎｚａ社製）３ｇを５０ｍｌの超純水で調製したものを用いた。【０１４１】
上記タンパク質溶液２μｌとリザーバー溶液２μｌを混合し、得られた混合溶液を結晶化用プレートのドロップ部分に添加して結晶育成溶液とした。次に、リザーバー部分に、リザーバー溶液１００μｌを加え、２０℃にて静置し、シッティングドロップ蒸気拡散法にてタンパク質結晶を形成させた。【０１４２】
２．結晶化の観測
１２０時間経過後、ＯＣＴ観測を行った。【０１４３】
（１）観測条件
実施例３と同じ観測条件で行った。【０１４４】
また、比較例として、同じ試料につき、光学顕微鏡を用いて観測を行った。【０１４５】
（２）観測結果
観測結果（ＯＣＴイメージ）を、図１６に示す。なお、図１６において、Ａ１はプレートのドロップ番号を表し、０％はゲル濃度を表している。図１６に示すように、ＯＣＴによる観測では溶液中のタンパク質結晶が確認できることが分かる。一方、光学顕微鏡では、散乱光が弱いため、表面が観測されるだけであり、結晶の成長を確認することができなかった。【０１４６】
以上説明したように、本発明によれば、タンパク質結晶を高分解能、非破壊でリアルタイムにその場観測することができる。また、高濁度の試料中のタンパク質結晶を観測することができる。そして、結晶の３次元構造、３次元分布、結晶とゲル相および液相の位置関係、塩とタンパク質結晶、不完全結晶（アモルファス）と完全結晶の分離、３次元配置の特定、沈殿、凝集などを観測することができ、結晶の内部に入り込んでいるゲルの分布をも観測することができる。
【符号の説明】
【０１４７】
１０              半導体レーザ
１０ａ            光源
１１              偏光ビームカプラ（ＰＢＣ）
１２              波長分割多重カプラ（ＷＤＭ）
１３              高濃度エルビウム添加ファイバ（ＨＣ−ＥＤＦ）
１４              外部モニタとの接続部
１５、７５        単一モードファイバ（ＳＭＦ２８）
１６              正常分散型非線形ファイバ（ＮＤＨＮＦ）
２０              レンズ系
３０              サーキュレータ
３１、８５        照準光照射器
３２              ＯＣＴプローブ
３３ａ、３３ｂ    偏光調整器
３４              高速度走査部
３４ａ            参照光用鏡
３５              光分岐器兼合波器
３５ａ            光分岐器（ビームスプリッター）
３６              光分岐器
４０、４０ａ      光検知器
４１              電子機器部
４２、８４        コンピュータ
５０、５０ａ      試料
７１、８２        超広帯域ＳＣ光生成部
７２              Ｔｉ：サファイアレーザ
７３              偏光器
７４              偏波保持ファイバ（ＰＭＦ）
８３              バランス検出器
８６、８７        光路長調整用のＰＣ
８８              ガルバノミラー（ＸＹ  Ｇａｌｖｏ）
８９              ファイバカプラ
【図１】
2012039377.tif 000004
【図２】
2012039377.tif 000005
【図３】
2012039377.tif 000006
【図４】
2012039377.tif 000007
【図５】
2012039377.tif 000008
【図６】
2012039377.tif 000009
【図７】
2012039377.tif 000010
【図８】
2012039377.tif 000011
【図９】
2012039377.tif 000012
【図１０】
2012039377.tif 000013
【図１１】
2012039377.tif 000014
【図１２】
2012039377.tif 000015
【図１３】
2012039377.tif 000016
【図１４】
2012039377.tif 000017
【図１５】
2012039377.tif 000018
【図１６】
2012039377.tif 000019
【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
タンパク質の良質な結晶を作製するためのタンパク質結晶の観測方法であって、
超広帯域光源から発する光とその散乱光とによる干渉光をＯＣＴ計測することにより、ゲルを用いた結晶化法により作製されるタンパク質結晶の観測を行うことを特徴とするタンパク質結晶の観測方法。
【請求項２】
前記超広帯域光源が、超広帯域スーパーコンティニューム光源であることを特徴とする請求項１に記載のタンパク質結晶の観測方法。
【請求項３】
前記超広帯域スーパーコンティニューム光源から発する光の中心波長が、０．８μｍ帯であることを特徴とする請求項２に記載のタンパク質結晶の観測方法。
【請求項４】
前記タンパク質結晶の観測が、その場計測による観測であることを特徴とする請求項１ないし請求項３のいずれか１項に記載のタンパク質結晶の観測方法。
【請求項５】
請求項１ないし請求項４のいずれか１項に記載のタンパク質結晶の観測方法を用いて、タンパク質結晶の評価を行うことを特徴とするタンパク質結晶の評価方法。
【請求項６】
請求項１ないし請求項４のいずれか１項に記載のタンパク質結晶の観測方法を用いて、タンパク質結晶と塩との分別を行うことを特徴とするタンパク質結晶と塩との分別方法。
【請求項７】
タンパク質の良質な結晶を作製するためのタンパク質結晶と塩との分別方法であって、
タンパク質と塩とを含有する被測定材料をゲル化してゲル液を作製するゲル液作製工程と、
前記ゲル液から前記タンパク質を結晶化させるタンパク質結晶化工程と、
前記タンパク質結晶化工程後の前記ゲル液を、超広帯域光源から発する光とその散乱光とによる干渉光をＯＣＴ計測するＯＣＴ計測工程と、
前記ＯＣＴ計測における光信号による情報を抽出することにより、前記タンパク質結晶と前記塩とを分別する分別工程と
を備えていることを特徴とするタンパク質結晶と塩との分別方法。
【請求項８】
前記超広帯域光源が、超広帯域スーパーコンティニューム光源であることを特徴とする請求項７に記載のタンパク質結晶と塩との分別方法。
【請求項９】
前記超広帯域スーパーコンティニューム光源から発する光の中心波長が、０．８μｍ帯であることを特徴とする請求項８に記載のタンパク質結晶と塩との分別方法。
【手続補正２】
【補正対象書類名】明細書
【補正対象項目名】０００３
【補正方法】変更
【補正の内容】
【０００３】
［００１４］
また、このような観測技術を用いたタンパク質結晶の評価技術や、タンパク質と塩との分別技術が望まれていた。
課題を解決するための手段
［００１５］
本発明者は、上記課題に鑑み、鋭意検討の結果、以下に記載する発明により、上記課題が解決できることを見出し、本発明を完成させるに至った。以下、各請求項の発明を説明する。
［００１６］
請求項１に記載の発明は、
タンパク質の良質な結晶を作製するためのタンパク質結晶の観測方法であって、
超広帯域光源から発する光とその散乱光とによる干渉光をＯＣＴ計測することにより、ゲルを用いた結晶化法により作製されるタンパク質結晶の観測を行うことを特徴とするタンパク質結晶の観測方法である。
［００１７］
本発明者は、タンパク質結晶の成長過程を、非破壊で、リアルタイムにその場計測によって３次元観測する技術として、生体組織等の測定対象を切断せずに生体などの断層画像を取得するＯＣＴ計測（Ｏｐｔｉｃａｌ  Ｃｏｈｅｒｅｎｃｅ  Ｔｏｍｏｇｒａｐｈｙ：光断層計測）に着目した。
［００１８］
本発明者は、このＯＣＴの理論分解能が、光源の中心波長とスペクトルの帯域幅によって決まるものであるため、超広帯域光源を用いることにより、微小で透明度の高いタンパク質結晶でも超高分解能なイメージが得られると考えた。
［００１９］
そして、実験の結果、超広帯域光源を用いることにより、超高分解能のＯＣＴ計測が実現でき、大きさ数１０μｍのタンパク質結晶であっても充分に観測可能であることが分かった。
［００２０］
このように、本請求項の発明においては、超広帯域光源から発する光を用いることにより、タンパク質結晶の成長過程を、非破壊で、リアルタイムに３次元観測することができ、観測された情報に基づき、結晶の成長過程を高精度に制御することができるため、良質な単結晶を作製することが可能となる。
［００２１］
そして、光信号による情報を適宜抽出することにより、タンパク質結晶と塩、さらには各種反応生成物を識別することができるため、タンパク質結晶
【手続補正３】
【補正対象書類名】明細書
【補正対象項目名】０００６
【補正方法】変更
【補正の内容】
【０００６】
過程を、非破壊で、リアルタイムに３次元計測することができるため、その場計測による高精度の観測が可能となり、その場計測された情報を適宜フィードバックすることにより、計測結果に基づき結晶化能の評価系を形成したり、スクリーニングを自動化したりすることができる。さらには、このフィードバックに基づいて、結晶の成長過程を適切に制御することにより、良質な単結晶を自動化により作製することも可能となる。そして、結晶の深さ方向の形状評価が可能となることにより、結晶のマウント操作を自動化することも可能となり、結晶の作製からＸ線結晶解析までの全ての過程を自動化することが望める。
［００３６］
請求項５に記載の発明は、
請求項１ないし請求項４のいずれか１項に記載のタンパク質結晶の観測方法を用いて、タンパク質結晶の評価を行うことを特徴とするタンパク質結晶の評価方法である。
［００３７］
上記のタンパク質結晶の観測方法を用いることにより、高感度で超高分解能な計測が可能となると共に、直線偏光を活用した偏光依存性の計測や、非常に広く帯域を広げたときの分光計測、コヒーレンスを生かした位相差計測など高機能な計測が可能となるため、結晶の周囲環境の組成や物性などの情報も観測することができ、結晶化能の評価系を確立することができる。
［００３８］
請求項６に記載の発明は、
請求項１ないし請求項４のいずれか１項に記載のタンパク質結晶の観測方法を用いて、タンパク質結晶と塩との分別を行うことを特徴とするタンパク質結晶と塩との分別方法である。
［００３９］
上記のタンパク質結晶の観測方法を用いて、光信号による情報を適宜抽出することにより、タンパク質結晶と塩とを識別することができるため、タンパク質結晶を非破壊で、明確に分別して、良質な単結晶を作製することができる。
［００４０］
請求項７に記載の発明は、
タンパク質の良質な結晶を作製するためのタンパク質結晶と塩との分別方
【手続補正４】
【補正対象書類名】明細書
【補正対象項目名】０００７
【補正方法】変更
【補正の内容】
【０００７】
法であって、
タンパク質と塩とを含有する被測定材料をゲル化してゲル液を作製するゲル液作製工程と、
前記ゲル液から前記タンパク質を結晶化させるタンパク質結晶化工程と、
前記タンパク質結晶化工程後の前記ゲル液を、超広帯域光源から発する光とその散乱光とによる干渉光をＯＣＴ計測するＯＣＴ計測工程と、
前記ＯＣＴ計測における光信号による情報を抽出することにより、前記タンパク質結晶と前記塩とを分別する分別工程と
を備えていることを特徴とするタンパク質結晶と塩との分別方法である。
［００４１］
前記したように、超広帯域光源を用いることにより、タンパク質結晶を高精度に観測することが可能となる。また、ゲルを用いた結晶化法により、散乱光信号を増強して、タンパク質結晶をより容易に観測することが可能となる。
［００４２］
一方、ゲルを用いた結晶化法においては、タンパク質と共に塩を用いてゲル液を作製するため、タンパク質結晶の成長と共に塩の結晶も生成される恐れがある。このため、ゲル液から成長した結晶が、タンパク質結晶か塩の結晶であるかを分別する必要がある。
［００４３］
しかし、上記したように、超広帯域光源を用い、さらにゲルにより散乱光信号の増強がなされるため、ＯＣＴ計測によりタンパク質結晶と塩とを容易に分別することができる。
［００４４］
請求項８に記載の発明は、
前記超広帯域光源が、超広帯域スーパーコンティニューム光源であることを特徴とする請求項７に記載のタンパク質結晶と塩との分別方法である。
［００４５］
前記した通り、超広帯域ＳＣ光源を用いた場合、高感度で超高分解能な計測が可能となると共に、コヒーレンスを生かした位相差計測など高機能な計測が可能となるため、タンパク質結晶と塩とをより精度高く分別することができる。
［００４６］
請求項９に記載の発明は、
前記超広帯域スーパーコンティニューム光源から発する光の中心波長が、０．８μｍ帯であることを特徴とする請求項８に記載のタンパク質結晶と塩
【国際調査報告】
2012039377.tif 000020
2012039377.tif 000021
2012039377.tif 000022
2012039377.tif 000023